(57)【要約】【課題】キーに対する処理の割り当てをより有効に行うことが可能な技術が提供されることが望ましい。【解決手段】スピーカー装置において、前記スピーカー装置がケースに収納されているか否かに基づいて、前記スピーカー装置の操作部に入力可能なキーに対して、前記キーが前記操作部に入力された場合に実行される処理の割り当てを制御する制御部を備える、スピーカー装置が提供される。【選択図】図１
2019187736.tif 000002
【特許請求の範囲】
【請求項１】
スピーカー装置において、
前記スピーカー装置がケースに収納されているか否かに基づいて、前記スピーカー装置の操作部に入力可能なキーに対して、前記キーが前記操作部に入力された場合に実行される処理の割り当てを制御する制御部を備える、
スピーカー装置。
【請求項２】
前記制御部は、前記ケースから電力を受け取っているか否かに基づいて、前記スピーカー装置が前記ケースに収納されているか否かを判断する、
請求項１に記載のスピーカー装置。
【請求項３】
前記制御部は、前記ケースから電力を受け取るための接続端子とは異なる検出端子が前記ケースに接続されているか否かに基づいて、前記スピーカー装置が前記ケースに収納されているか否かを判断する、
請求項１に記載のスピーカー装置。
【請求項４】
前記制御部は、前記スピーカー装置が前記ケースに収納されている場合、前記ケースの蓋部が開いているか否かに基づいて、前記操作部への前記キーの入力を有効にするか無効にするかを制御する、
請求項１に記載のスピーカー装置。
【請求項５】
前記制御部は、前記スピーカー装置が前記ケースに収納されている場合、かつ、前記蓋部が閉じている場合に、前記操作部への前記キーの入力を無効にする、
請求項４に記載のスピーカー装置。
【請求項６】
前記制御部は、前記スピーカー装置が前記ケースに収納されていない場合に、第１のキーに対して第１の処理を割り当て、前記スピーカー装置が前記ケースに収納されている場合に、第２のキーに対して第２の処理を割り当てる、
請求項１に記載のスピーカー装置。
【請求項７】
前記第２の処理は、初期化処理およびハードウェアリセット処理の少なくともいずれか一つを含む、
請求項６に記載のスピーカー装置。
【請求項８】
前記スピーカー装置は、イヤホンまたはヘッドホンである、
請求項１に記載のスピーカー装置。
【請求項９】
スピーカー装置がケースに収納されているか否かに基づいて、前記スピーカー装置の操作部に入力可能なキーに対して、前記キーが前記操作部に入力された場合に実行される処理の割り当てを制御することを含む、
割り当て方法。
【発明の詳細な説明】
【技術分野】
【０００１】
本開示は、スピーカー装置および割り当て方法に関する。
【背景技術】
【０００２】
近年、イヤホンおよびヘッドホンなどのスピーカー装置を身体に装着させてスピーカー装置から出力される音を聴く機会が増えている。スピーカー装置から出力される音の種類としては、音楽およびニュースなどの様々な音が想定される。また、スピーカー装置が有する機能としては様々な機能が想定される。【０００３】
例えば、タッチセンサを有しており、タッチセンサへのユーザのタッチ操作によって、再生音楽を変更するイヤホンが開示されている（例えば、特許文献１参照）。かかる技術では、タッチ操作がタッチセンサに入力された場合にスピーカー装置によって実行される処理として、再生音楽の変更がタッチ操作に対して割り当てられている。また、イヤホンが充電用のケースに収納された場合、イヤホンのバッテリーは充電用のケースから電力を受けて充電され得る。
【先行技術文献】
【特許文献】
【０００４】
【特許文献１】特開２０００−３３３２８６号公報
【発明の概要】
【発明が解決しようとする課題】
【０００５】
上記のように、入力可能なキーに対して、当該キーが入力された場合に実行される処理の割り当てが行われる。しかし、入力可能なキーの種類数は制限されている場合があり、かかる場合には、キーに対して割り当てがされない処理が生じやすくなってしまう。したがって、キーに対する処理の割り当てをより有効に行うことが可能な技術が提供されることが望ましい。
【課題を解決するための手段】
【０００６】
本開示によれば、スピーカー装置において、前記スピーカー装置がケースに収納されているか否かに基づいて、前記スピーカー装置の操作部に入力可能なキーに対して、前記キーが前記操作部に入力された場合に実行される処理の割り当てを制御する制御部を備える、スピーカー装置が提供される。【０００７】
本開示によれば、スピーカー装置がケースに収納されているか否かに基づいて、前記スピーカー装置の操作部に入力可能なキーに対して、前記キーが前記操作部に入力された場合に実行される処理の割り当てを制御することを含む、割り当て方法が提供される。
【発明の効果】
【０００８】
以上説明したように本開示によれば、キーに対する処理の割り当てをより有効に行うことが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の実施形態に係るイヤホン（左耳装着用）の外観例を示す図である。
【図２】本開示の実施形態に係るイヤホン（右耳装着用）の外観例を示す図である。
【図３】イヤホンが収納されている状態を示すクレイドルの外観例を示す図である。
【図４】イヤホンが収納されていない状態を示すクレイドルの外観例を示す図である。
【図５】イヤホン（本体）およびクレイドルそれぞれの機能構成図を示す図である。
【図６】各種状態とキーに対する処理の割り当てとの対応関係の例を示す図である。
【図７】変形例について説明するための図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
また、本明細書および図面において、実質的に同一または類似の機能構成を有する複数の構成要素を、同一の符号の後に異なる数字を付して区別する場合がある。ただし、実質的に同一または類似の機能構成を有する複数の構成要素の各々を特に区別する必要がない場合、同一符号のみを付する。また、異なる実施形態の類似する構成要素については、同一の符号の後に異なるアルファベットを付して区別する場合がある。ただし、類似する構成要素の各々を特に区別する必要がない場合、同一符号のみを付する。
【００１２】
なお、説明は以下の順序で行うものとする。
１．概要
２．実施形態の詳細
２．１．システム構成例
２．２．割り当ての例
３．むすび
４．変形例
【００１３】
＜１．概要＞
まず、本開示の実施形態の概要について説明する。近年、イヤホンおよびヘッドホンなどのスピーカー装置を身体に装着させてスピーカー装置から出力される音を聴く機会が増えている。スピーカー装置から出力される音の種類としては、音楽およびニュースなどの様々な音が想定される。また、スピーカー装置が有する機能としては様々な機能が想定される。
【００１４】
例えば、タッチセンサを有しており、タッチセンサへのユーザのタッチ操作によって、再生音楽を変更するイヤホンが開示されている。かかる技術では、タッチ操作がタッチセンサに入力された場合にスピーカー装置によって実行される処理として、再生音楽の変更がタッチ操作に対して割り当てられている。また、イヤホンが充電用のケースに収納された場合、イヤホンのバッテリーは充電用のケースから電力を受けて充電され得る。
【００１５】
上記のように、入力可能なキーに対して、当該キーが入力された場合に実行される処理の割り当てが行われる。しかし、入力可能なキーの種類数は制限されている場合があり、かかる場合には、キーに対して割り当てがされない処理が生じやすくなってしまう。したがって、本明細書においては、キーに対する処理の割り当てをより有効に行うことが可能な技術について主に説明する。
【００１６】
なお、本開示の実施形態においては、スピーカー装置の例としてイヤホンを例に挙げて主に説明を行う。しかし、イヤホンはスピーカー装置の一例に過ぎない。したがって、イヤホンの代わりに、イヤホン以外のスピーカー装置が用いられてもよい。例えば、イヤホンの代わりに、ヘッドホンが用いられてもよい。また、本開示の実施形態においては、充電用のケースの例としてクレイドルを例に挙げて主に説明を行う。しかし、クレイドルは充電用のケースの一例に過ぎない。したがって、クレイドルの代わりに、クレイドル以外の他のケースが用いられてもよい。
【００１７】
以上、本開示の実施形態の概要について説明した。
【００１８】
＜２．実施形態の詳細＞
以下、本開示の実施形態の詳細について説明する。
【００１９】
［２．１．システム構成例］
まず、本開示の実施形態に係るイヤホンおよびクレイドルの構成例について説明する。なお、以下の説明においては、左耳装着用のイヤホンと右耳装着用のイヤホンとが登場する。そして、左耳装着用のイヤホンおよび右耳装着用のイヤホンそれぞれを「イヤホン」と言う場合がある。２つのイヤホンのうちのどちらが左耳装着用でありどちらが右耳装着用であるかは決められていてもよいし、特に決められていなくてもよい。あるいは、左耳と右耳のどちらにも装着可能なイヤホンがあってもよい。
【００２０】
図１は、本開示の実施形態に係るイヤホン（左耳装着用）の外観例を示す図である。図１に示されるように、イヤホン１０−Ｌ（左耳装着用）は、ユーザの左耳に装着されるイヤホンであり、タッチセンサ１２０−Ｌ、スピーカー１４０−Ｌ、バッテリー１３０−Ｌを有している。図２は、本開示の実施形態に係るイヤホン（右耳装着用）の外観例を示す図である。図２に示されるように、イヤホン１０−Ｒ（右耳装着用）は、ユーザの右耳に装着されるイヤホンであり、タッチセンサ１２０−Ｒ、スピーカー１４０−Ｒ、バッテリー１３０−Ｒを有している。
【００２１】
図３は、イヤホンが収納されている状態を示すクレイドル２０の外観例を示す図である。図３を参照すると、クレイドル２０が、蓋部２８０と収納部２９０とを備えており、蓋部２８０が収納部２９０に対して開いた状態が示されている。
【００２２】
収納部２９０には、イヤホン１０−Ｌ（左耳装着用）の収納スペースが設けられている。かかる収納スペースには、電力供給端子２５１−Ｌ（ＶＢＡＳ）、蓋開閉検出端子２５２−Ｌ（ＣＯＶＥＲ＿ＤＥＴ）、および、グランド端子（ＧＮＤ）２５３−Ｌが設けられている。図３を参照すると、かかる収納スペースにイヤホン１０−Ｌ（左耳装着用）が収納されている。このとき、電力供給端子２５１−Ｌ（ＶＢＡＳ）、蓋開閉検出端子２５２−Ｌ（ＣＯＶＥＲ＿ＤＥＴ）、および、グランド端子（ＧＮＤ）２５３−Ｌそれぞれは、イヤホン１０−Ｌ（左耳装着用）の対応する接続端子に接続される。
【００２３】
また、収納部２９０には、クレイドル蓋開閉スイッチ２４０が設けられている。かかるクレイドル蓋開閉スイッチ２４０によって蓋部２８０が開いた状態であるか閉じた状態であるかが検出される。クレイドル蓋開閉スイッチ２４０によって検出された蓋部２８０の開閉状態は、蓋開閉検出端子２５２−Ｌを介してイヤホン１０−Ｌ（左耳装着用）の対応する接続端子に出力される。本開示の実施形態においては、一例として、蓋部２８０が閉じた状態であることは、蓋開閉検出端子２５２−Ｌからの電圧出力「有」によってイヤホン１０−Ｌ（左耳装着用）の対応する接続端子に出力され、蓋部２８０が開いた状態であることは、蓋開閉検出端子２５２−Ｌからの電圧出力「無」によってイヤホン１０−Ｌ（左耳装着用）の対応する接続端子に出力される。
【００２４】
図４は、イヤホンが収納されていない状態を示すクレイドル２０の外観例を示す図である。図４を参照すると、図３と同様に、蓋部２８０が収納部２９０に対して開いた状態が示されている。ただし、クレイドル２０にイヤホン１０−Ｌ（左耳装着用）およびイヤホン１０−Ｒ（右耳装着用）が収納されていない。
【００２５】
図３および図４に示されたように、クレイドル２０にイヤホン１０−Ｌ（左耳装着用）およびイヤホン１０−Ｒ（右耳装着用）が収納された状態または収納されていない状態において、蓋部２８０は、ユーザの手動により（または自動的に）、蓋部２８０と収納部２９０との連結部を中心として第１の方向（閉じる方向）に回動し得る。これによって、蓋部２８０は、収納部２９０に対して閉じた状態となり得る。
【００２６】
また、クレイドル２０にイヤホン１０−Ｌ（左耳装着用）およびイヤホン１０−Ｒ（右耳装着用）が収納された状態または収納されていない状態において、蓋部２８０は、ユーザの手動により（または自動的に）、蓋部２８０と収納部２９０との連結部を中心として第１の方向（閉じる方向）とは逆の第２の方向（開く方向）に回動し得る。これによって、収納部２９０に対して開いた状態となり得る。
【００２７】
図５は、イヤホン１０（本体）およびクレイドル２０それぞれの機能構成図を示す図である。図５に示されるように、イヤホン１０は、本体ｕＣＯＭ（本体マイクロコンピュータ）１１０、タッチセンサ１２０、バッテリー１３０、スピーカー１４０、通信部１４５、電力取得端子１５１（ＶＢＡＳ）、蓋開閉検出端子１５２（ＣＯＶＥＲ＿ＤＥＴ）、および、グランド端子（ＧＮＤ）１５３を有する。
【００２８】
タッチセンサ１２０は、ユーザからの操作を受け付ける。例えば、タッチセンサ１２０は、ユーザからのシングルタップ操作（１回タップする操作）、ダブルタップ操作（所定時間内に連続して２回タップする操作）、トリプルタップ操作（所定時間内に連続して３回タップする操作）、長押し操作、および、他方のイヤホンとの同時の長押し操作を受け付ける。タッチセンサ１２０は、操作部の一例に過ぎない。すなわち、イヤホン１０は、タッチセンサ１２０の代わりに、または、タッチセンサ１２０に追加して、ユーザから入力される操作を受け付け可能なタッチセンサ以外の操作部（例えば、ボタンなど）を有してもよい。なお、タッチセンサ１２０が設けられる位置は特に限定されない。
【００２９】
スピーカー１４０は、イヤホン１０とペアリングされた再生装置によって再生された音データがイヤホン１０によって受信された場合、音データに基づいて音を出力する。例えば、スピーカー１４０は、ユーザの左耳の耳孔に挿入されて音を出力する。これによって、スピーカー１４０から出力された音は、ユーザの左耳によって知覚される。なお、本開示の実施形態においては、イヤホン１０が再生装置から音データを無線通信によって受信する場合を主に想定する。しかし、イヤホン１０は、有線通信によって再生装置から音データを受信してもよい。
【００３０】
バッテリー１３０は、イヤホン１０の各種動作に利用される電力を供給する。本開示の実施形態においては、バッテリー１３０が充電可能な電池によって構成されており、クレイドル２０（図３）からイヤホン１０に電力が供給されると、バッテリー１３０は、クレイドル２０（図３）から供給された電力を蓄積する場合を想定する。しかし、バッテリー１３０は、必ずしも充電可能な電池によって構成されていなくてもよい。なお、バッテリー１３０が設けられる位置は特に限定されない。
【００３１】
通信部１４５は、ペアリングされた再生装置との間で通信を行う。例えば、通信部１４５は、上記したようにペアリングされた再生装置から音データを受信する。
【００３２】
本体ｕＣＯＭ１１０は、ＣＰＵ（Ｃｅｎｔｒａｌ  Ｐｒｏｃｅｓｓｉｎｇ  Ｕｎｉｔ）およびメモリを含んで構成され、メモリに記憶されたプログラムがＣＰＵによって実行されることによって、本体ｕＣＯＭ１１０の機能が実現される。なお、本体ｕＣＯＭ１１０は、イヤホン１０の動作を制御する制御部として機能し得る。
【００３３】
電力取得端子１５１（ＶＢＡＳ）は、クレイドル２０の電力供給端子２５１（ＶＢＡＳ）に接続され、蓋開閉検出端子１５２（ＣＯＶＥＲ＿ＤＥＴ）は、クレイドル２０の蓋開閉検出端子２５２に接続され、グランド端子（ＧＮＤ）１５３は、クレイドル２０のグランド端子（ＧＮＤ）２５３に接続される。
【００３４】
クレイドル２０は、クレイドルｕＣＯＭ（クレイドルマイクロコンピュータ）２１０、バッテリー２３１、ＥＮ充電ＩＣ（Ｉｎｔｅｇｒａｔｅｄ  Ｃｉｒｃｕｉｔ）２３２、電圧検出回路２３３、クレイドル蓋開閉スイッチ２４０、電力供給端子２５１（ＶＢＡＳ）、蓋開閉検出端子２５２（ＣＯＶＥＲ＿ＤＥＴ）、および、グランド端子（ＧＮＤ）２５３を有する。
【００３５】
バッテリー２３１は、イヤホン１０に供給される電力を蓄積する電池である。電圧検出回路２３３は、バッテリー２３１の電力残量が閾値を下回っているか否かを検出し、バッテリー２３１の電力残量が閾値を下回っている場合には、クレイドルｕＣＯＭ２１０にその旨を出力する。クレイドルｕＣＯＭ２１０は、バッテリー２３１の電力残量が閾値を下回っていることが入力されると、ＥＮ充電ＩＣ２３２に電力供給端子２５１（ＶＢＡＳ）への電圧出力を停止するようにバッテリー２３１を制御する。
【００３６】
本開示の実施形態において、本体ｕＣＯＭ１１０は、イヤホン１０を使用する意図がユーザにあるか否かに基づいて、タッチセンサ１２０に入力可能なキーに対して、キーがタッチセンサ１２０に入力された場合に実行される処理の割り当てを制御する。これによって、イヤホン１０を使用する意図がユーザにあるか否かに関わらず、同じようにキーに対して処理を割り当てる場合と比較して、キーに対する処理の割り当てをより有効に行うことが可能となる。
【００３７】
より具体的に、イヤホン１０がクレイドル２０に収納されている場合には、イヤホン１０を使用する意図がユーザになく、イヤホン１０がクレイドル２０に収納されていない場合には、イヤホン１０を使用する意図がユーザにあるとみなすことができる。そこで、本開示の実施形態において、本体ｕＣＯＭ１１０は、イヤホン１０がクレイドル２０に収納されているか否かに基づいて、タッチセンサ１２０に入力可能なキーに対して、キーがタッチセンサ１２０に入力された場合に実行される処理の割り当てを制御する。
【００３８】
例えば、本体ｕＣＯＭ１１０は、イヤホン１０がクレイドル２０に収納されていない場合に、第１のキーに対して第１の処理を割り当てる（第１の割り当てを行う）。一方、本体ｕＣＯＭ１１０は、イヤホン１０がクレイドル２０に収納されている場合に、第２のキーに対して第２の処理を割り当てる（第２の割り当てを行う）。ここで、第１の処理および第２の処理それぞれは限定されない。例えば、第２の処理は、イヤホン１０がクレイドル２０に収納されている場合に実行される処理であるため、初期化処理およびハードウェアリセット処理の少なくともいずれか一つを含んでよい。
【００３９】
ここでは、イヤホン１０がクレイドル２０に収納されていない場合、本体ｕＣＯＭ１１０が、イヤホン１０−Ｒ（右耳装着用）のキー「シングルタップ」に対して処理「再生／停止」を割り当て、イヤホン１０−Ｒ（右耳装着用）のキー「ダブルタップ」に対して処理「再生位置を進める」を割り当て、イヤホン１０−Ｒ（右耳装着用）のキー「トリプルタップ」に対して処理「再生位置を戻す」を割り当て、イヤホン１０−Ｒ（右耳装着用）のキー「長押し」に対して処理「音声認識」を割り当てる場合を想定する。
【００４０】
また、イヤホン１０がクレイドル２０に収納されていない場合、本体ｕＣＯＭ１１０が、イヤホン１０−Ｌ（左耳装着用）のキー「ダブルタップ」に対して処理「ノイズキャンセリングおよび外部音取り込み機能（Ａｍｂｉｅｎｔ機能）」を割り当て、イヤホン１０−Ｌ（左耳装着用）のキー「長押し」に対して処理「クイックアテンション機能」を割り当てる場合を想定する。クイックアテンション機能は、タッチセンサが長押しされている間だけ再生中の音データの音量を下げ、周囲の音（例えば、電車内に出力されるガイダンスメッセージなど）を聴きやすくする機能を意味し得る。
【００４１】
また、イヤホン１０がクレイドル２０に収納されていない場合、本体ｕＣＯＭ１１０が、イヤホン１０−Ｒ（右耳装着用）およびイヤホン１０−Ｌ（左耳装着用）のキー「同時にＸ秒間長押し」に対して処理「再生装置とのペアリング」を割り当てる場合を想定する。例えば、Ｘは７秒間などであってよいが、Ｘの長さは特に限定されない。以下では、イヤホン１０がクレイドル２０に収納されていない場合に行われる割り当てを「第１の割り当て」とも称する。
【００４２】
一方、イヤホン１０がクレイドル２０に収納されている場合、本体ｕＣＯＭ１１０が、イヤホン１０−Ｒ（右耳装着用）およびイヤホン１０−Ｌ（左耳装着用）のキー「同時にＹ秒間長押し」に対して処理「初期化処理」を割り当てる場合を想定する。例えば、Ｙは１０秒間などであってよいが、Ｙの長さは特に限定されない。
【００４３】
また、イヤホン１０がクレイドル２０に収納されている場合、本体ｕＣＯＭ１１０が、イヤホン１０−Ｒ（右耳装着用）およびイヤホン１０−Ｌ（左耳装着用）のキー「同時または片方ずつＺ秒間長押し」に対して処理「ハードウェアリセット処理」を割り当てる場合を想定する。例えば、Ｚは２０秒間などであってよいが、Ｚの長さは特に限定されない。以下では、イヤホン１０がクレイドル２０に収納されている場合に行われる割り当てを「第２の割り当て」とも称する。
【００４４】
なお、初期化処理は、イヤホン１０が持っている設定情報をクリアして、工場からイヤホン１０が出荷された状態にイヤホン１０を戻す処理を意味し得る。これによって、イヤホンのペアリング情報、音質設定情報などが削除され得る。例えば、初期化処理は、イヤホン１０に塵などが溜まって通信が正常に行われなくなった場合や、イヤホン１０と再生装置とのペアリング時にエラーが発生し、正常にペアリングが行われない場合などに実行されればよい。
【００４５】
一方、ハードウェアリセット処理は、本体ｕＣＯＭ１１０を再起動させる処理に該当し得る。例えば、ハードウェアリセット処理は、本体ｕＣＯＭ１１０のソフトウェア的な動作がフリーズして正常に本体ｕＣＯＭ１１０が動作しなくなった場合や、外部からイヤホン１０への衝撃によって本体ｕＣＯＭ１１０の動作が正常ではなくなった場合などに実行されればよい。
【００４６】
ハードウェアリセット処理以外のコマンドは、本体ｕＣＯＭ１１０によって理解され、本体ｕＣＯＭ１１０によって能動的にコマンド仕様に沿って実行される。それに対して、ハードウェアリセット処理のコマンドは、本体ｕＣＯＭ１１０のリセット端子を外部から直接叩くことで強制的にｕＣＯＭ１１０をリセットさせることによって実行される。本体ｕＣＯＭ１１０は、リセット端子が外部から直接叩かれた時点で、長押し秒数をそれ以上カウントすることができなくなる。そこで、ハードウェアリセット処理の実行のための長押し時間は、ハードウェアリセット処理以外のコマンドの実行のための長押し時間よりも長くする必要がある。
【００４７】
ここでは、本体ｕＣＯＭ１１０が、クレイドル２０から、電力供給端子２５１（ＶＢＡＳ）および電力取得端子１５１（ＶＢＡＳ）を介して、電力を受け取っているか否かに基づいて、イヤホン１０がクレイドル２０に収納されているか否かを判断する場合を主に想定する。そうすれば、本体ｕＣＯＭ１１０は、イヤホン１０のバッテリー１３０の電力残量がない場合であっても、クレイドル２０から、電力供給端子２５１（ＶＢＡＳ）および電力取得端子１５１（ＶＢＡＳ）を介して受け取った電力を利用して、イヤホン１０がクレイドル２０に収納されている場合の処理（例えば、初期化処理またはハードウェアリセット処理）を実行することが可能である。
【００４８】
なお、イヤホン１０がクレイドル２０に収納されている場合であっても、クレイドル２０のバッテリー２３１の電力残量が閾値を下回っている場合には、本体ｕＣＯＭ１１０は、クレイドル２０から、電力供給端子２５１（ＶＢＡＳ）および電力取得端子１５１（ＶＢＡＳ）を介して、電力を受け取ることができない。かかる場合には、本体ｕＣＯＭ１１０は、イヤホン１０がクレイドル２０に収納されている場合の処理（例えば、初期化処理またはハードウェアリセット処理）が実行され得ない。
【００４９】
そこで、かかる場合には、本体ｕＣＯＭ１１０は、クレイドル２０のバッテリー２３１の電力残量が閾値を上回るまで回復し、クレイドル２０から、電力供給端子２５１（ＶＢＡＳ）および電力取得端子１５１（ＶＢＡＳ）を介して、電力を受け取ってから、イヤホン１０がクレイドル２０に収納されている場合の処理（例えば、初期化処理またはハードウェアリセット処理）を実行すればよい。
【００５０】
また、タッチセンサ１２０には、ユーザの意図しないタイミングでユーザが接触してしまう場合がある。かかる場合には、ユーザの意志に反する動作（誤動作）が実行されてしまう場合もあり得る。誤動作の例としては、タッチセンサ１２０に対する長押しによる初期化処理またはハードウェアリセット処理の実行などが想定される。そこで、本体ｕＣＯＭ１１０は、イヤホン１０がクレイドル２０に収納されている場合、クレイドル２０の蓋部２８０が開いているか否かに基づいて、タッチセンサ１２０へのキーの入力を有効にするか無効にするかを制御するとよい。これによって、誤動作の可能性が抑制される。
【００５１】
例えば、本体ｕＣＯＭ１１０は、イヤホン１０がクレイドル２０に収納されている場合、かつ、蓋部２８０が閉じている場合には、ユーザがタッチセンサ１２０に操作を入力する可能性はないと考えられるため、タッチセンサ１２０へのキーの入力を無効にすればよい。さらに、本体ｕＣＯＭ１１０は、イヤホン１０がクレイドル２０に収納されている場合、かつ、蓋部２８０が閉じている場合に、電力供給端子２５１（ＶＢＡＳ）および電力取得端子１５１（ＶＢＡＳ）を介して取得される電力を利用して、バッテリー１３０の充電（およびイヤホン１０の電源ＯＦＦ）を開始すればよい。
【００５２】
一方、本体ｕＣＯＭ１１０は、イヤホン１０がクレイドル２０に収納されている場合、かつ、蓋部２８０が開いている場合には、ユーザがタッチセンサ１２０に操作を入力する可能性があると考えられるため、タッチセンサ１２０へのキーの入力を有効にすればよい。
【００５３】
以上、本開示の実施形態に係るイヤホン１０およびクレイドル２０の構成例について説明した。
【００５４】
［２．２．割り当ての例］
以下では、図６を参照しながら、各種状態とキーに対する処理の割り当てとの対応関係の例について、より詳細に説明する。図６は、各種状態とキーに対する処理の割り当てとの対応関係の例を示す図である。図６を参照すると、状態の例として、「本体の場所（クレイドルの内ｏｒ外）」、「クレイドルの蓋の状態」、「クレイドルのバッテリーの残電力」が挙げられ、この状態に対応する「キー割り当て」が示されている。
【００５５】
「本体の場所（クレイドルの内ｏｒ外）」は、イヤホン１０がクレイドル２０の「内」にあるか「外」にあるか（クレイドル２０に収納されているか否か）を示す。「クレイドルの蓋の状態」は、クレイドル２０の蓋部２８０が「閉じた」状態であるか「開いた」状態であるかを示す。「クレイドルのバッテリーの残電力」は、クレイドル２０の残電力が「有る」か「無い」か、すなわち、クレイドル２０の電力残量が閾値を上回るか下回るかを示す。
【００５６】
また、「キー割り当て」は、イヤホン１０がクレイドル２０に収納されていない場合に行われる割り当てである「第１の割り当て」、イヤホン１０がクレイドル２０に収納されている場合に行われる割り当て「第２の割り当て」、キー入力の「無効」のいずれかを示す。
【００５７】
図６の１行目では、「本体の場所」が「外」である場合が想定されている。すなわち、イヤホン１０がクレイドル２０の外に存在することによって、本体ｕＣＯＭ１１０が、クレイドル２０から、電力供給端子２５１（ＶＢＡＳ）および電力取得端子１５１（ＶＢＡＳ）を介して、電力を受け取っていない場合が想定されている。かかる場合には、本体ｕＣＯＭ１１０は、「第１の割り当て」を行う。このとき、キー入力は「有効」のままにされる。
【００５８】
図６の２行目では、「本体の場所」が「内」である場合、かつ、「クレイドルの蓋の状態」が「閉」である場合、かつ、「クレイドルのバッテリー残電力」が「有る」場合が想定されている。すなわち、イヤホン１０がクレイドル２０の内に存在することによって、本体ｕＣＯＭ１１０が、クレイドル２０から、電力供給端子２５１（ＶＢＡＳ）および電力取得端子１５１（ＶＢＡＳ）を介して、電力を受け取っている場合、かつ、蓋部２８０が閉じた状態、かつ、クレイドル２０のバッテリー２３１の残電力が「有る」場合が想定されている。かかる場合には、本体ｕＣＯＭ１１０は、キー入力を「無効」にする。このとき、キーに対する処理の割り当ては維持にされる。
【００５９】
図６の３行目では、「本体の場所」が「内」である場合、かつ、「クレイドルの蓋の状態」が「開」である場合、かつ、「クレイドルのバッテリー残電力」が「有る」場合が想定されている。すなわち、イヤホン１０がクレイドル２０の内に存在することによって、本体ｕＣＯＭ１１０が、クレイドル２０から、電力供給端子２５１（ＶＢＡＳ）および電力取得端子１５１（ＶＢＡＳ）を介して、電力を受け取っている場合、かつ、蓋部２８０が開いた状態、かつ、クレイドル２０のバッテリー２３１の残電力が「有る」場合が想定されている。かかる場合には、本体ｕＣＯＭ１１０は、「第２の割り当て」を行う。このとき、キー入力は「有効」のままにされる。
【００６０】
図６の４行目では、「本体の場所」が「内」である場合、かつ、「クレイドルの蓋の状態」が「閉」である場合、かつ、「クレイドルのバッテリー残電力」が「無い」場合が想定されている。すなわち、クレイドル２０のバッテリー２３１の残電力が無いために、本体ｕＣＯＭ１１０が、クレイドル２０から、電力供給端子２５１（ＶＢＡＳ）および電力取得端子１５１（ＶＢＡＳ）を介して、電力を受け取っていない場合、かつ、蓋部２８０が閉じた状態が想定されている。かかる場合には、本体ｕＣＯＭ１１０は、キー入力を「無効」にする。このとき、キーに対する処理の割り当ては維持にされる。
【００６１】
図６の５行目では、「本体の場所」が「内」である場合、かつ、「クレイドルの蓋の状態」が「開」である場合、かつ、「クレイドルのバッテリー残電力」が「無い」場合が想定されている。すなわち、クレイドル２０のバッテリー２３１の残電力が無いために、本体ｕＣＯＭ１１０が、クレイドル２０から、電力供給端子２５１（ＶＢＡＳ）および電力取得端子１５１（ＶＢＡＳ）を介して、電力を受け取っていない場合、かつ、蓋部２８０が開いた状態が想定されている。かかる場合には、本体ｕＣＯＭ１１０は、「第１の割り当て」を行う。このとき、キー入力は「有効」のままにされる。
【００６２】
以上、各種状態とキーに対する処理の割り当てとの対応関係の例について説明した。
【００６３】
＜３．むすび＞
以上説明したように、本開示の実施形態によれば、スピーカー装置において、前記スピーカー装置がケースに収納されているか否かに基づいて、前記スピーカー装置の操作部に入力可能なキーに対して、前記キーが前記操作部に入力された場合に実行される処理の割り当てを制御する制御部を備える、スピーカー装置が提供される。かかる構成によれば、キーに対する処理の割り当てをより有効に行うことが可能となる。
【００６４】
＜４．変形例＞
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００６５】
図７は、変形例について説明するための図である。図７を参照すると、図５に示された例と比較して、クレイドル２０が、電力供給端子２５１（ＶＢＡＳ）とは異なる検出用端子２５４を備えている。また、図７を参照すると、図５に示された例と比較して、イヤホン１０が、電力取得端子１５１（ＶＢＡＳ）とは異なる検出用端子１５４を備えている。クレイドル２０にイヤホン１０が収納されると、イヤホンの検出用端子１５４がクレイドル２０の検出用端子２５４と接続される。
【００６６】
上記では、本体ｕＣＯＭ１１０が、クレイドル２０から、電力供給端子２５１（ＶＢＡＳ）および電力取得端子１５１（ＶＢＡＳ）を介して、電力を受け取っているか否かに基づいて、イヤホン１０がクレイドル２０に収納されているか否かを判断する例を説明した。しかし、変形例において、本体ｕＣＯＭ１１０は、イヤホン１０の検出用端子１５４がクレイドル２０の検出用端子２５４に接続されているか否かに基づいて、イヤホン１０がクレイドル２０に収納されているか否かを判断する。そうすれば、イヤホン１０がクレイドル２０から電力を受け取らなくても、イヤホン１０がクレイドル２０に収納されている場合の処理（例えば、初期化処理またはハードウェアリセット処理）が実行され得る。
【００６７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００６８】
なお、以下のような構成も本開示の技術的範囲に属する。
（１）
スピーカー装置において、
前記スピーカー装置がケースに収納されているか否かに基づいて、前記スピーカー装置の操作部に入力可能なキーに対して、前記キーが前記操作部に入力された場合に実行される処理の割り当てを制御する制御部を備える、
スピーカー装置。
（２）
前記制御部は、前記ケースから電力を受け取っているか否かに基づいて、前記スピーカー装置が前記ケースに収納されているか否かを判断する、
前記（１）に記載のスピーカー装置。
（３）
前記制御部は、前記ケースから電力を受け取るための接続端子とは異なる検出端子が前記ケースに接続されているか否かに基づいて、前記スピーカー装置が前記ケースに収納されているか否かを判断する、
前記（１）に記載のスピーカー装置。
（４）
前記制御部は、前記スピーカー装置が前記ケースに収納されている場合、前記ケースの蓋部が開いているか否かに基づいて、前記操作部への前記キーの入力を有効にするか無効にするかを制御する、
前記（１）〜（３）のいずれか一項に記載のスピーカー装置。
（５）
前記制御部は、前記スピーカー装置が前記ケースに収納されている場合、かつ、前記蓋部が閉じている場合に、前記操作部への前記キーの入力を無効にする、
前記（４）に記載のスピーカー装置。
（６）
前記制御部は、前記スピーカー装置が前記ケースに収納されていない場合に、第１のキーに対して第１の処理を割り当て、前記スピーカー装置が前記ケースに収納されている場合に、第２のキーに対して第２の処理を割り当てる、
前記（１）〜（５）のいずれか一項に記載のスピーカー装置。
（７）
前記第２の処理は、初期化処理およびハードウェアリセット処理の少なくともいずれか一つを含む、
前記（６）に記載のスピーカー装置。
（８）
前記スピーカー装置は、イヤホンまたはヘッドホンである、
前記（１）〜（７）のいずれか一項に記載のスピーカー装置。
（９）
スピーカー装置がケースに収納されているか否かに基づいて、前記スピーカー装置の操作部に入力可能なキーに対して、前記キーが前記操作部に入力された場合に実行される処理の割り当てを制御することを含む、
割り当て方法。
【符号の説明】
【００６９】
１０    イヤホン
１１０  本体ｕＣＯＭ
１２０  タッチセンサ
１３０  バッテリー
１４０  スピーカー
１４５  通信部
１５１  電力取得端子
１５２  蓋開閉検出端子
１５４  検出用端子
２０    クレイドル
２１０  クレイドルｕＣＯＭ
２３１  バッテリー
２３２  ＥＮ充電ＩＣ
２３３  電圧検出回路
２４０  クレイドル蓋開閉スイッチ
２５１  電力供給端子
２５２  蓋開閉検出端子
２５４  検出用端子
２８０  蓋部
２９０  収納部
【図１】
2019187736.tif 000003
【図２】
2019187736.tif 000004
【図３】
2019187736.tif 000005
【図４】
2019187736.tif 000006
【図５】
2019187736.tif 000007
【図６】
2019187736.tif 000008
【図７】
2019187736.tif 000009
【国際調査報告】
2019187736.tif 000010
2019187736.tif 000011
2019187736.tif 000012
2019187736.tif 000013